(57)【特許請求の範囲】
【請求項１】
スイッチング素子のオンオフ制御によって出力電圧を生成する電源ユニットと、該電源ユニットから供給された出力電圧によって動作する本体部とを有する電気機器であって、
前記電源ユニットは、
前記本体部から入力されるスリープ信号のオンオフと前記出力電圧とに応じた制御電圧を生成する制御電圧生成回路と、
前記制御電圧生成回路によって生成される前記制御電圧に基づいて、前記スリープ信号がオフ時には、前記出力電圧を通常電圧に制御し、前記スリープ信号がオン時には、前記出力電圧を前記通常電圧よりも低いスリープ電圧に制御する制御回路と、
前記制御電圧生成回路によって生成される前記制御電圧の調整を受け付けるユニット側制御電圧調整端子とを具備し、
前記本体部は、
前記ユニット側制御電圧調整端子に接続される本体側制御電圧調整端子と、
前記スリープ信号がオンからオフに切り換えられると、前記本体側制御電圧調整端子及び前記ユニット側制御電圧調整端子を介して、前記制御電圧生成回路によって生成される前記制御電圧を調整することで、前記スリープ電圧よりも高く、前記通常電圧よりも低い、前記本体部の機内温度に応じた中間電圧に前記出力電圧を制御する制御電圧調整回路とを具備することを特徴とする電気機器。
【請求項２】
前記本体部の前記制御電圧調整回路は、前記本体部の機内温度が低いほど、低い前記中間電圧に前記出力電圧を制御することを特徴とする請求項１記載の電気機器。
【請求項３】
前記電源ユニットの制御電圧生成回路は、前記出力電圧を分圧して前記制御電圧を生成し、
前記本体部の前記制御電圧調整回路は、前記本体側制御電圧調整端子に接続されたサーミスタによって前記制御電圧生成回路による前記出力電圧の分圧比を調整することを特徴とする請求項１又は２記載の電気機器。
【請求項４】
前記本体部の前記制御電圧調整回路は、前記スリープ信号がオンからオフに切り換えられると、予め設定された調整期間、前記中間電圧に前記出力電圧を制御することを特徴とする請求項１乃至３のいずれかに記載の電気機器。
【発明の詳細な説明】
【技術分野】
【０００１】
本発明は、トナー像を記録紙に熱定着させる定着装置を有するＭＦＰ等の電気機器に関する。
【背景技術】
【０００２】
複写機、ファクシミリ、複合機等の画像形成装置といった電気機器１では、図４に示すように、本体部２に設けられたモーター等の負荷２１に電力を供給する電源ユニット３を備えている。
【０００３】
電源ユニット３は、商用交流電源ＡＣから供給された電力を直流電圧に変換するＡＣ／ＤＣコンバーターであり、図４を参照すると、整流回路ＤＢと、平滑コンデンサＣ１、Ｃ２と、トランスＴと、電源制御ＩＣ３１と、整流ダイオードＤ１と、スイッチング素子Ｑ１と、電流検出抵抗Ｒｓとを備えている。
【０００４】
ダイオードがブリッジ構成された整流回路ＤＢの交流入力端子ＡＣＬ、ＡＣＮには商用交流電源ＡＣが接続され、商用交流電源ＡＣから入力された交流電圧が全波整流されて整流回路ＤＢから出力される。整流回路ＤＢの整流出力正極端子と整流出力負極端子との間には、平滑コンデンサＣ１が接続されている。また、整流回路ＤＢの整流出力負極端子は接地端子に接続されている。これにより、商用交流電源ＡＣを整流回路ＤＢと平滑コンデンサＣ１とで整流平滑した直流電圧が得られる。
【０００５】
電源制御ＩＣ３１は、パワーＭＯＳＦＥＴ（Metal Oxide Semiconductor Field Effect Transistor）等のスイッチング素子Ｑ１のオンオフ制御を行うための制御回路が内蔵されている。電源制御ＩＣ３１は、スイッチング素子Ｑ１のゲート端子に駆動信号を出力し、スイッチング素子Ｑ１をオンオフ制御する。整流回路ＤＢの整流出力正極端子がトランスＴの一次巻線Ｐの一端部に接続され、トランスＴの一次巻線Ｐの他端部がスイッチング素子Ｑ１のドレイン端子に接続されていると共に、スイッチング素子Ｑ１のソース端子が電流検出抵抗Ｒｓを介して接地端子に接続されている。これにより、スイッチング素子Ｑ１をオン／オフ制御することで、トランスＴの一次巻線Ｐに与えられた電力が、トランスＴの二次巻線Ｓに伝達される。また、電流検出抵抗Ｒｓは、スイッチング素子Ｑ１を流れる電流Ｉｄを電圧信号として検出する。電流検出抵抗Ｒｓによって検出された電圧信号は電源制御ＩＣ３１に入力され、電源制御ＩＣ３１は、電流Ｉｄが過電流検出ポイントに到達すると、本体部２に供給する電力を制限する。
【０００６】
トランスＴの二次巻線Ｓの両端子間には、整流ダイオードＤ１を介して平滑コンデンサＣ２が接続されている。トランスＴの二次巻線Ｓに誘起される電圧は、整流ダイオードＤ１と平滑コンデンサＣ２により整流平滑される。そして、平滑コンデンサＣ２の端子間電圧が出力電圧Ｖｏとして電源出力端子Ｔ３ａ、Ｔ３ｂから出力され、コネクタ等で接続された本体部２の電源入力端子Ｔ２ａ、Ｔ２ｂを介して負荷２１に供給される。
【先行技術文献】
【特許文献】
【０００７】
【特許文献１】特開平６−３０８７８５号公報
【特許文献２】特開２００６−２９６１５９号公報
【特許文献３】特開２０１４−１５４６６９号公報
【発明の概要】
【発明が解決しようとする課題】
【０００８】
複写機、ファクシミリ、複合機等の画像形成装置では、印字速度等の異なる複数のモデルが用意され、部品コストの削減のため、複数のモデルに対して共通の電源ユニット３が用いられている。この場合、複数のモデル間では負荷２１が大きく異なるため、図５（ａ）、（ｂ）に示すように、モデルによってスイッチング素子Ｑ１を流れる電流Ｉｄも異なる（負荷がモデルＡ＜モデルＢの場合、電流ＩｄもモデルＡ＜モデルＢ）。また、同一モデルでも、低温環境下においては、駆動トルクが増えることで、負荷２１が大きくなり、図５（ｂ）、（ｃ）に示すように、本体部２の温度によってスイッチング素子Ｑ１を流れる電流Ｉｄも異なる（低温＞高温）。従って、共通の電源ユニット３を用いる場合には、過電流検出ポイントを、図６に示すように、一番高い条件に合わせて設定する必要がある。
【０００９】
また、電源ユニット３は省エネ等を考慮し、軽負荷時には出力電圧Ｖｏを通常電圧（例えば２４Ｖ）からスリープ電圧（例えば１３Ｖ）に下げるスリープモードが設けられている。スリープモードからの復帰時には、出力電圧がスリープ電圧から通常電圧に戻り駆動を開始するが、装置が低温環境下にある場合、モータートルクが増える等の影響により、電流が増加し突入電流が増加してしまう。この突入電流が大きいと遮断回路等の本体使用素子の寿命低下を引き起こすという問題点があった。
【００１０】
なお、特許文献１には、待機状態，動作状態，動作開始時の負荷電流に適した過電流検出ポイントを設定する技術が、特許文献２及び３には、スイッチング素子の温度特性に応じて過電流検出条件を変更する技術がそれぞれ開示されているが、上記問題点を解決するものではない。
【００１１】
本発明の目的は、上記問題点を解決し、スリープモードからの復帰時に生じる虞のある過大な突入電流を防止することきる電気機器を提供することにある。
【課題を解決するための手段】
【００１２】
本発明の電気機器は、スイッチング素子のオンオフ制御によって出力電圧を生成する電源ユニットと、該電源ユニットから供給された出力電圧によって動作する本体部とを有する電気機器であって、前記電源ユニットは、前記本体部から入力されるスリープ信号のオンオフと前記出力電圧とに応じた制御電圧を生成する制御電圧生成回路と、前記制御電圧生成回路によって生成される前記制御電圧に基づいて、前記スリープ信号がオフ時には、前記出力電圧を通常電圧に制御し、前記スリープ信号がオン時には、前記出力電圧を前記通常電圧よりも低いスリープ電圧に制御する制御回路と、前記制御電圧生成回路によって生成される前記制御電圧の調整を受け付けるユニット側制御電圧調整端子とを具備し、前記本体部は、前記ユニット側制御電圧調整端子に接続される本体側制御電圧調整端子と、前記スリープ信号がオンからオフに切り換えられると、前記本体側制御電圧調整端子及び前記ユニット側制御電圧調整端子を介して、前記制御電圧生成回路によって生成される前記制御電圧を調整することで、前記スリープ電圧よりも高く、前記通常電圧よりも低い、前記本体部の機内温度に応じた中間電圧に前記出力電圧を制御する制御電圧調整回路とを具備することを特徴とする。
さらに、本発明の電気機器において、前記本体部の前記制御電圧調整回路は、前記本体部の機内温度が低いほど、低い前記中間電圧に前記出力電圧を制御しても良い。
さらに、本発明の電気機器において、前記電源ユニットの制御電圧生成回路は、前記出力電圧を分圧して前記制御電圧を生成し、前記本体部の前記制御電圧調整回路は、前記本体側制御電圧調整端子に接続されたサーミスタによって前記制御電圧生成回路による前記出力電圧の分圧比を調整しても良い。
さらに、本発明の電気機器において、前記本体部の前記制御電圧調整回路は、前記スリープ信号がオンからオフに切り換えられると、予め設定された調整期間、前記中間電圧に前記出力電圧を制御しても良い。
【発明の効果】
【００１３】
本発明によれば、スリープモードからの復帰時に、過大な突入電流を防止することができ、遮断回路等の本体使用素子の寿命を延ばすことができるという効果を奏する。
【図面の簡単な説明】
【００１４】
【図１】本発明に係る電気機器の実施の形態の構成を示す図である。
【図２】本発明に係る電気機器の実施の形態における過電流ポイントとスイッチング素子を流れる電流との関係を示すグラフである。
【図３】図１に示す制御電圧調整回路による制御電圧の調整によって制御される中間電圧を示すグラフである。
【図４】従来の電気機器の構成を示す図である。
【図５】スイッチング素子を流れる電流を異なるモデル及び異なる温度で比較したグラフである。
【図６】従来の電気機器における過電流ポイントとスイッチング素子を流れる電流との関係を示すグラフである。
【発明を実施するための形態】
【００１５】
次に、本発明の実施の形態を、図面を参照して具体的に説明する。
【００１６】
本実施の形態の電気機器１０は、複写機、ファクシミリ、複合機等の画像形成装置であり、図１を参照すると、画像形成を行うための各種の構成を備えた本体部２０と、本体部２０に設けられたモーター等の負荷２１に電力を供給する電源ユニット３０とを備えている。
【００１７】
電源ユニット３０は、商用交流電源ＡＣから供給された電力を直流電圧に変換するＡＣ／ＤＣコンバーターであり、図４を参照すると、整流回路ＤＢと、平滑コンデンサＣ１、Ｃ２と、トランスＴと、電源制御ＩＣ３１と、整流ダイオードＤ１と、スイッチング素子Ｑ１とを備えている。
【００１８】
ダイオードがブリッジ構成された整流回路ＤＢの交流入力端子ＡＣＬ、ＡＣＮには商用交流電源ＡＣが接続され、商用交流電源ＡＣから入力された交流電圧が全波整流されて整流回路ＤＢから出力される。整流回路ＤＢの整流出力正極端子と整流出力負極端子との間には、平滑コンデンサＣ１が接続されている。また、整流回路ＤＢの整流出力負極端子は接地端子に接続されている。これにより、商用交流電源ＡＣを整流回路ＤＢと平滑コンデンサＣ１とで整流平滑した直流電圧が得られる。
【００１９】
電源制御ＩＣ３１は、パワーＭＯＳＦＥＴ（Metal Oxide Semiconductor Field Effect Transistor）等のスイッチング素子Ｑ１のオンオフ制御を行うための制御回路が内蔵されている。電源制御ＩＣ３１は、スイッチング素子Ｑ１のゲート端子に駆動信号を出力し、スイッチング素子Ｑ１をオンオフ制御する。整流回路ＤＢの整流出力正極端子がトランスＴの一次巻線Ｐの一端部に接続され、トランスＴの一次巻線Ｐの他端部がスイッチング素子Ｑ１のドレイン端子に接続されていると共に、スイッチング素子Ｑ１のソース端子が電流出力端子Ｔ３ｃに接続されている。
【００２０】
電源ユニット３０の電流出力端子Ｔ３ｃは、コネクタ等によって本体部２０の電流入力端子Ｔ２ｃに接続されている。これにより、スイッチング素子Ｑ１を流れる電流Ｉｄは、電源ユニット３０の電流出力端子Ｔ３ｃから出力され、本体部２０の電流入力端子Ｔ２ｃから入力される。本体部２０において、電流入力端子Ｔ２ｃは、サーミスタＴＨ１と、電流検出抵抗Ｒｓとからなる並列回路を介して接地端子に接続されている。本体部２０に備えられたサーミスタＴＨ１と、電流検出抵抗Ｒｓとからなる並列回路は、過電流検出回路２２として機能する。
【００２１】
スイッチング素子Ｑ１をオンオフ制御することで、トランスＴの一次巻線Ｐに与えられた電力が、トランスＴの二次巻線Ｓに伝達される。また、過電流検出回路２２は、スイッチング素子Ｑ１を流れる電流Ｉｄ、すなわち電流入力端子Ｔ２ｃから入力される電流Ｉｄを電圧信号として検出する。過電流検出回路２２によって検出された電圧信号は、電流入力端子Ｔ２ｃ及び電流出力端子Ｔ３ｃを介して電源制御ＩＣ３１に入力され、電源制御ＩＣ３１は、電流Ｉｄが過電流検出ポイントに到達すると、本体部２０に供給する電力を制限する。
【００２２】
トランスＴの二次巻線Ｓの両端子間には、整流ダイオードＤ１を介して平滑コンデンサＣ２が接続されている。トランスＴの二次巻線Ｓに誘起される電圧は、整流ダイオードＤ１と平滑コンデンサＣ２により整流平滑される。そして、平滑コンデンサＣ２の端子間電圧が出力電圧Ｖｏとして電源出力端子Ｔ３ａ、Ｔ３ｂから出力され、コネクタ等で接続された本体部２０の電源入力端子Ｔ２ａ、Ｔ２ｂを介して負荷２１に供給される。
【００２３】
同一温度化では、過電流検出回路２２の抵抗、すなわち並列に接続されたサーミスタＴＨ１と電流検出抵抗Ｒｓとの合成抵抗は、負荷２１の小さいモデルの方が、負荷２１の大きいモデルに比べて、大きくなるように設定されている。従って、過電流検出回路２２によって検出される電圧信号は、スイッチング素子Ｑ１を流れる電流Ｉｄが同じであっても、負荷２１の小さいモデルＡの方が、負荷２１の大きいモデルＢに比べて、大きくなる。これにより、電圧信号と比較する過電流検出ポイントが一定である場合、図２に示すように、負荷２１の小さいモデルＡの過電流検出ポイントの方が、負荷２１の大きいモデルＢの過電流検出ポイントに比べて、見かけ上小さくなる。すなわち、モデルの違いによる負荷変動と連動して、過電流検出ポイントが見かけ上変動するので、負荷２１の小さいモデルであっても、部分短絡等の状態を確実に検出でき、より安全に使用できる。
【００２４】
また、サーミスタＴＨ１は、温度が高くなるほど抵抗値が大きくなる正の温度特性をもつＰＴＣ（Positive Temperature Coefficient）が用いられている。従って、過電流検出回路２２によって検出される電圧信号は、スイッチング素子Ｑ１を流れる電流Ｉｄが同じであっても、高温の方が、低温に比べて、大きくなる。これにより、電圧信号と比較する過電流検出ポイントが一定である場合、図２に示すように、高温の過電流検出ポイントの方が、低温の過電流検出ポイントに比べて、見かけ上小さくなる。すなわち、温度の違いによる負荷変動と連動して、過電流検出ポイントが見かけ上変動するので、温度が高く負荷２１が小さくなっても、部分短絡等の状態を確実に検出でき、より安全に使用できる。
【００２５】
出力電圧Ｖｏ（平滑コンデンサＣ２の両端電圧）は、抵抗Ｒ１〜Ｒ６、ＰＮＰトランジスタＱ２、シャントレギュレータＺ、コンデンサＣ３、フォトカプラＰＣを構成する発光ダイオードＰＣＤからなる２次側フィードバック回路３２と、フォトカプラＰＣを構成する受光トランジスタＰＣＴＲ、抵抗Ｒ７からなる１次側フィードバック回路３３とにより誤差信号として電源制御ＩＣ３１にフィードバックされる。
【００２６】
平滑コンデンサＣ２の両端子間、すなわち電源ラインとＧＮＤラインとの間には、抵抗Ｒ１、発光ダイオードＰＣＤ及びシャントレギュレータＺが直列に接続されている。抵抗Ｒ１は、発光ダイオードＰＣＤとシャントレギュレータＺに流れる電流を制限する電流制限抵抗である。また、電源ラインとＧＮＤラインとの間には、分圧用の抵抗Ｒ２及び抵抗Ｒ３が直列に接続され、抵抗Ｒ２と抵抗Ｒ３の接続点ＡはシャントレギュレータＺの制御端子に接続されている。さらに、抵抗Ｒ２と並列に、抵抗Ｒ４、ＰＮＰトランジスタＱ２及び抵抗Ｒ５からなる直列回路が接続されている。ＰＮＰトランジスタＱ２のベースは、スリープ信号入力端子Ｔ３ｄに接続され、スリープ信号入力端子Ｔ３ｄは、コネクタ等によって本体部２０のスリープ信号出力端子Ｔ２ｄに接続されている。これにより、本体部２０から出力されるスリープ信号のオンオフに応じてＰＮＰトランジスタＱ２がオンオフ制御される。スリープ信号は、出力電圧Ｖｏを、通常電圧と、通常電圧よりも低いスリープ電圧とのいずれかに切り換える電圧切り換え信号である。出力電圧Ｖｏを通常電圧に切り換える場合、スリープ信号はオフで、ＰＮＰトランジスタＱ２はオフされ、接続点Ａの電圧は、抵抗Ｒ２と抵抗Ｒ３とで出力電圧Ｖｏを分圧した値となる。出力電圧Ｖｏをスリープ電、圧に切り換える場合、スリープ信号はオンで、ＰＮＰトランジスタＱ２はオンされ、接続点Ａの電圧は、並列に接続された抵抗Ｒ２と抵抗Ｒ４及びＲ５との合成抵抗と、抵抗Ｒ３とで出力電圧Ｖｏを分圧した値となる。なお、接続点ＡとシャントレギュレータＺ１のカソードとの間に接続されたコンデンサＣ３及び抵抗Ｒ６は、シャントレギュレータＺに対する負帰還回路である。
【００２７】
接続点Ａの電圧は、制御電圧としてシャントレギュレータＺの制御端子に入力される。すなわち、２次側フィードバック回路３２は、シャントレギュレータＺによって制御される制御電圧を生成する制御電圧生成回路として機能する。シャントレギュレータＺは、入力された制御電圧と内部基準電圧とを比較し、その誤差電圧に応じた電流を発光ダイオードＰＣＤに流し、この電流が誤差信号として発光ダイオードＰＣＤから受光トランジスタＰＣＴＲに出力される。受光トランジスタＰＣＴＲのコレクタ端子は抵抗Ｒ７を介して電源制御ＩＣ３１のフィードバック端子に接続され、受光トランジスタＰＣＴＲのエミッタ端子は接地端子に接続されている。受光トランジスタＰＣＴＲでは、発光ダイオードＰＣＤからの誤差信号が受光されると、受光された誤差信号に応じた電流が流れ、誤差信号が電源制御ＩＣ３１に伝達される。これにより、電源制御ＩＣ３１は、誤差信号に応じたパルス幅のＰＷＭ信号を生成することで、スイッチング素子Ｑ１をＰＷＭ制御し、出力電圧Ｖｏを通常電圧もしくはスリープ電圧に保つ。
【００２８】
接続点Ａは、ユニット側制御電圧調整端子Ｔ３ｅと、ユニット側制御電圧調整端子Ｔ３ｅにコネクタ等によって接続された本体側制御電圧調整端子Ｔ２ｅとを介して、本体部２０の制御電圧調整回路２３に接続されている。制御電圧調整回路２３は、スリープ電圧から通常電圧への切り換え時の予め設定された期間、スリープ電圧よりも高く、通常電圧よりも低い、本体機内温度に応じた中間電圧Ｖａに出力電圧Ｖｏを制御する回路である。
【００２９】
制御電圧調整回路２３は、サーミスタＴＨ２と、ワンショット回路２４と、スイッチ２５とを備えている。電源入力端子Ｔ２ａ、すなわち電源ラインと、サーミスタＴＨ２とスイッチ２５とが直列に接続されている。ワンショット回路２４は、スリープ信号がオンからオフに切り換わるタイミングで、予め設定された幅の１ショットパルス信号を出力し、スイッチ２５は、ワンショット回路２４から１ショットパルス信号が出力されている調整期間Ｔ１の間、オンする。
【００３０】
従って、スリープ信号がオンからオフに切り換わると、ＰＮＰトランジスタＱ２はオフされると共に、スイッチ２５がオンされるため、接続点Ａの電圧は、並列に接続された抵抗Ｒ２とサーミスタＴＨ２との合成抵抗と、抵抗Ｒ３とで分圧した値となる。サーミスタＴＨ２は、本体部２０の本体機内温度を測定する本体機内温度測定手段であり、温度が高くなるほど抵抗値が大きくなる正の温度特性をもつＰＴＣ（Positive Temperature Coefficient）が用いられる。また、サーミスタＴＨ２の抵抗値、想定される最も低い温度でも、直列に接続された抵抗４及び抵抗Ｒ５の合成抵抗よりも、大きい値に設定されている。
【００３１】
このため、図３に示すように、スリープ電圧から通常電圧への切り換えのため、時刻ｔ１でスリープ信号がオフされると、出力電圧Ｖｏは、スリープ電圧よりも高く、通常電圧よりも低い、本体機内温度に応じた中間電圧Ｖａに制御される。このように、スリープ信号のオフ時には、出力電圧Ｖｏは、スリープ電圧から本体機内温度に応じた中間電圧Ｖａに上昇する。この中間電圧Ｖａは、本体機内温度が低くなるほど、すなわち、負荷２１が大きくなって負荷２１に流れる電流が大きく増加すると想定されるほど、低い値となる。従って、負荷変動による突入電流の増加を効率的に防止することができ、遮断回路等の本体使用素子の寿命を延ばすことができる。
【００３２】
そして、スイッチ２５がオンされている調整期間Ｔ１において、負荷２１の駆動によって本体機内温度が上昇すると、サーミスタＴＨ２の抵抗値が大きくなるため、本体機内温度の上昇に伴って中間電圧Ｖａも上昇する。すなわち、本体部２０の機内温度が高くなり、負荷２１が小さくなって負荷２１に流れる電流が小さくなるのに伴って、中間電圧Ｖａを上昇させる。これにより、中間電圧Ｖａから通常電圧への切り換えをスムーズに行うことができる。
【００３３】
調整期間Ｔ１が経過してスイッチ２５がオフされると、接続点Ａの電圧は、抵抗Ｒ２と抵抗Ｒ３とで出力電圧Ｖｏを分圧した値となり、出力電圧Ｖｏは通常電圧に保たれる。
【００３４】
以上説明したように本実施の形態は、スイッチング素子Ｑ１のオンオフ制御によって出力電圧Ｖｏを生成する電源ユニット３０と、電源ユニット３０から供給された出力電圧Ｖｏによって動作する本体部２０とを有する電気機器１０であって、電源ユニット３０は、本体部２０から入力されるスリープ信号のオンオフと出力電圧Ｖｏとに応じた制御電圧を生成する制御電圧生成回路（２次側フィードバック回路３２）と、制御電圧生成回路によって生成される制御電圧に基づいて、スリープ信号がオフ時には、出力電圧Ｖｏを通常電圧に制御し、スリープ信号がオン時には、出力電圧Ｖｏを通常電圧よりも低いスリープ電圧に制御する制御回路（電源制御ＩＣ３１、２次側フィードバック回路３２、１次側フィードバック回路３３）と、制御電圧生成回路によって生成される制御電圧の調整を受け付けるユニット側制御電圧調整端子Ｔ３ｅとを具備し、本体部２０は、ユニット側制御電圧調整端子Ｔ３ｅに接続される本体側制御電圧調整端子Ｔ２ｅと、スリープ信号がオンからオフに切り換えられると、本体側制御電圧調整端子Ｔ２ｅ及びユニット側制御電圧調整端子Ｔ３ｅを介して、制御電圧生成回路によって生成される制御電圧を調整することで、スリープ電圧よりも高く、通常電圧よりも低い、本体部２０の機内温度に応じた中間電圧Ｖａに出力電圧Ｖｏを制御する制御電圧調整回路２３とを備えている。
この構成により、スリープモードからの復帰時に、過大な突入電流を防止することができ、遮断回路等の本体使用素子の寿命を延ばすことができる。また、本体部２０の制御電圧調整回路２３によって制御電圧を調整することで、中間電圧Ｖａに出力電圧Ｖｏを制御しているため、本体部２０側でモデル毎の適した中間電圧Ｖａを設定することができ、電源ユニット３０を共通化することができる。
【００３５】
さらに、本実施の形態において、本体部２０の制御電圧調整回路２３は、本体部２０の機内温度が低いほど、低い中間電圧Ｖａに出力電圧Ｖｏを制御する。
この構成により、中間電圧Ｖａは、本体機内温度が低くなるほど、すなわち、負荷２１が大きくなって負荷２１に流れる電流が大きく増加すると想定されるほど、低い値となる。従って、負荷変動による突入電流の増加を効率的に防止することができ、遮断回路等の本体使用素子の寿命を延ばすことができる。
【００３６】
さらに、本実施の形態において、電源ユニット３０の制御電圧生成回路は、出力電圧Ｖｏを分圧して制御電圧を生成し、本体部２０の制御電圧調整回路２３は、本体側制御電圧調整端子Ｔ２ｅに接続されたサーミスタＴＨ２によって制御電圧生成回路による出力電圧Ｖｏの分圧比を調整する。
この構成により、サーミスタＴＨ２によって、本体部２０の機内温度に応じた中間電圧Ｖａを簡単に制御することができる。
【００３７】
さらに、本実施の形態において、本体部２０の制御電圧調整回路２３は、スリープ信号がオンからオフに切り換えられると、予め設定された調整期間Ｔ１、中間電圧に出力電圧Ｖｏを制御する。
この構成により、調整期間Ｔ１に本体部２０の機内温度が高くなり、負荷２１が小さくなって負荷２１に流れる電流が小さくなるのに伴って、中間電圧Ｖａが上昇する。これにより、中間電圧Ｖａから通常電圧への切り換えをスムーズに行うことができる。
【００３８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３９】
１、１０  電気機器
２、２０  本体部
３、３０  電源ユニット
２１  負荷
２２  過電流検出回路
２３  制御電圧調整回路
２４  ワンショット回路
２５  スイッチ
３１  電源制御ＩＣ
３２  ２次側フィードバック回路
３３  １次側フィードバック回路
ＡＣ  商用交流電源
Ｃ１、Ｃ２  平滑コンデンサ
Ｃ３  コンデンサ
Ｄ１  整流ダイオード
ＤＢ  整流回路
ＰＣＤ  発光ダイオード
ＰＣＴＲ  受光トランジスタ
Ｑ１  スイッチング素子
Ｑ２  ＰＮＰトランジスタ
Ｒｓ  電流検出抵抗
Ｒ１〜Ｒ７  抵抗
Ｔ  トランス
Ｔ２ａ、Ｔ２ｂ  電源入力端子
Ｔ２ｃ  電流入力端子
Ｔ２ｄ  スリープ信号出力端子
Ｔ２ｅ  本体側制御電圧調整端子
Ｔ３ａ、Ｔ３ｂ  電源出力端子
Ｔ３ｃ  電流出力端子
Ｔ３ｄ  スリープ信号入力端子
Ｔ３ｅ  ユニット側制御電圧調整端子
ＴＨ１、ＴＨ２  サーミスタ
Ｚ  シャントレギュレータ
【図１】
0006330772.tif 000002
【図２】
0006330772.tif 000003
【図３】
0006330772.tif 000004
【図４】
0006330772.tif 000005
【図５】
0006330772.tif 000006
【図６】
0006330772.tif 000007